(57)【要約】【課題】メダルを収容する容積を可変な収容箱を備える遊技機及び収容箱を提供する。【解決手段】遊技機１０は、本体１２の下部前面に設けられ、メダル払出口３８から払い出されるメダルを受け入れて貯えるメダル受け皿４０と、メダル受け皿４０からメダルを移し替える収容箱６と、を備える。収容箱６は、箱形に形成されてその長手方向に伸縮自在に容積を変えることができる。収容箱６は、略合同な収容箱片６１と収容箱片６２とがその長手方向に互いに接近又は離間可能に連結されている。収容箱６は、メダルを収容する略直方体の凹部６０を設けている。【選択図】図１
2008295525.tif 000002
【特許請求の範囲】
【請求項１】
本体の下部前面に設けられ、メダル払出口から払い出されるメダルを受け入れて貯えるメダル受け皿と、このメダル受け皿からメダルを移し替える収容箱と、を備える遊技機であって、
前記収容箱は、箱形に形成されてその長手方向に伸縮自在に容積を変えることを特徴とする遊技機。
【請求項２】
略合同な一方の収容箱片と他方の収容箱片とがその長手方向に互いに接近又は離間可能に連結されて、メダルを収容する略直方体の凹部を設ける収容箱であって、
前記一方の収容箱片は、互いに相反する向きに突出して略平行な一対のフランジを前記凹部の開口端縁に有し、
前記他方の収容箱片は、互いに相反する向きに突出して前記一対のフランジを囲うように反転する略平行な一対の溝を前記凹部の開口端縁に有し、
前記一対のフランジが前記一対の溝にスライド可能に連結して前記凹部の容積を変えることを特徴とするメダルを収容する収容箱。
【請求項３】
長手方向の両翼に一対の取っ手を備えることを特徴とする請求項２記載のメダルを収容する収容箱。
【請求項４】
前記一方の収容箱片は、長手方向に沿って設けられる複数の貫通穴を一対の側壁に有し、
前記他方の収容箱片は、互いに相反する向きに配置されて前記貫通穴に嵌合する一対の半球状の突起を一対の側壁に有し、
前記凹部の容積を段階的に変えることを特徴とする請求項２又は３記載のメダルを収容する収容箱。
【請求項５】
両翼が開放された中間箱状部材、及びこの中間箱状部材の両翼に連結して互いに接近又は離間可能な一対の片側箱状部材を備え、メダルを収容する略直方体の凹部を設ける収容箱であって、
前記片側箱状部材は、互いに相反する向きに突出して略平行な一対のフランジを前記凹部の開口端縁に有し、
前記中間箱状部材は、互いに相反する向きに突出して前記一対のフランジを囲うように反転する略平行な一対の溝を前記凹部の開口端縁に有し、
前記一対のフランジが前記一対の溝にスライド可能に連結して前記凹部の容積を変えることを特徴とするメダルを収容する収容箱。
【発明の詳細な説明】
【技術分野】
【０００１】
本発明は、スロットマシンなどの遊技機に関する。特に、メダル受け皿からメダルを移し替える収容箱を備える遊技機に関する。
【背景技術】
【０００２】
一般に、スロットマシンなどの遊技機は、本体の下部前面にメダル受け皿を配置している。メダル受け皿は、メダル払出口から払い出されるメダルを受け入れて一定量、貯える容積を有している。そして、遊技者は、メダルがメダル受け皿から溢れ出ない内に、メダルを掻き寄せて収容箱（いわゆる、ドル箱）に移し替えている。この場合、一方の手で収容箱を把持しながら、他方の手でメダル受け皿内のメダルをメダル受け皿の前壁を越えて収容箱に掻き出して移し替えている。
【０００３】
一方、収容箱は、メダル受け皿よりメダルの収容数は多いが容積が限定されている。したがって、例えば、ビッグボーナスと呼ばれる特別入賞役が連続して当籤すると、収容箱は、比較的短時間で満杯になりやすかった。このため、遊技者は、別の空の収容箱に再度メダルを移し替える動作を繰り返せねばならず、この場合に、遊技を中断する必要があった。こうした不具合に対して、メダルの収容枚数を変えるメダル受け皿を備えた遊技機が発明されている（例えば、特許文献１参照）。
【０００４】
特許文献１による遊技機は、図柄が描かれた回転可能な複数の回胴リールと、これらの回胴リールの図柄が揃ったとき本体のメダル払出口から排出されたメダルを受けるメダル受け皿と、を備えている。メダル受け皿は、底板、両側板、及び前板で形成されて本体に設けたメダル受け皿本体と、メダル受け皿本体の底板及び両側板の外面に沿って手前に引き出し可能にメダル受け皿本体に設けた拡張皿と、を備えている。そして、メダル受け皿本体の前板は、拡張皿を引き出したとき、手前側に傾倒可能になっている。
【０００５】
特許文献１による遊技機は、引き出し可能な拡張皿をメダル受け皿本体に設け、メダル受け皿へのメダル収容数を加減できるようにしてあるので、メダル受け皿から収容箱へのメダルの移し替え回数を少なくして、遊技者が遊技に集中することができて、遊技性を高めることができる、としている。
【特許文献１】特開２００５−２０４６９９号公報
【発明の開示】
【発明が解決しようとする課題】
【０００６】
特許文献１による遊技機に用いられるメダル受け皿は、メダル収納枚数を加減できるので、メダル受け皿から収容箱へのメダルの移し替え回数を少なくできる、という利点がある。しかし、収容箱の容積が限定されていては、別の空の収容箱にメダルを移し替える手間を減じられないという問題がある。したがって、収容箱のメダル収容数を変えることのできる収容箱が望まれる。つまり、遊技機に好適な容積を可変な収容箱が望まれる。そして、以上のことが、本発明の課題といってよい。
【０００７】
本発明は、このような問題に鑑みてなされたものであり、本体の下部前面に配置されるメダル受け皿を備える遊技機であって、メダルを収容する容積を可変な収容箱を備える遊技機及びその収容箱を提供することを目的とする。
【課題を解決するための手段】
【０００８】
本発明者は、上記目的を達成するため、箱形に形成される収容箱をその長手方向に伸縮自在に構成することにより、その容積を変えることを見出し、これに基づいて、以下のような新たな収容箱を備える遊技機及びその収容箱を発明するに至った。
【０００９】
（１）  本体の下部前面に設けられ、メダル払出口から払い出されるメダルを受け入れて貯えるメダル受け皿と、このメダル受け皿からメダルを移し替える収容箱と、を備える遊技機であって、前記収容箱は、箱形に形成されてその長手方向に伸縮自在に容積を変えることを特徴とする遊技機。
【００１０】
（１）の発明による遊技機は、メダル受け皿と収容箱を備えている。メダル受け皿は、本体の下部前面に設けられる。又、メダル受け皿は、メダルが払い出されるメダル払出口からメダルを受け入れて貯える。収容箱は、メダル受け皿からメダルが移し替えられる。そして、収容箱は、箱形に形成されてその長手方向に伸縮自在に容積を変える。
【００１１】
本体は、前面扉を開閉する筐体で構成してよく、この本体の下部前面にメダル受け皿が設けられる。メダル受け皿は、前面扉に設けられてよく、筐体に設けられてもよい。一般に、メダル払出口は、本体の略中央に配置され、メダル受け皿は、メダルを受け入れて貯えることができる。メダル受け皿は、特許文献１に示されたように、メダル収容数を加減できるように構成してもよい。
【００１２】
メダル受け皿は、軽金属などの金属や金属にメッキ膜や樹脂膜などの皮膜を形成した材料を使用できる。メダル受け皿は合成樹脂で又は金属で一体に成形することが好ましい。収容箱は、合成樹脂で一体に成形することが好ましい。収容箱は、メダルを収容するための容積を変えることができるように、後述するように２部材（２パーツ）で構成してよく、３部材（３パーツ）で構成してもよい。
【００１３】
（１）の発明による遊技機は、箱形に形成されてその長手方向に伸縮自在に容積を変える収容箱を備えているので、メダル受け皿から収容箱へのメダルの移し替える手間を減じることができる。その結果、遊技者が遊技に集中することができて、遊技性を高めることもできる。
【００１４】
（２）  略合同な一方の収容箱片と他方の収容箱片とがその長手方向に互いに接近又は離間可能に連結されて、メダルを収容する略直方体の凹部を設ける収容箱であって、前記一方の収容箱片は、互いに相反する向きに突出して略平行な一対のフランジを前記凹部の開口端縁に有し、前記他方の収容箱片は、互いに相反する向きに突出して前記一対のフランジを囲うように反転する略平行な一対の溝を前記凹部の開口端縁に有し、前記一対のフランジが前記一対の溝にスライド可能に連結して前記凹部の容積を変えることを特徴とするメダルを収容する収容箱。
【００１５】
（２）の発明による収容箱は、略合同な一方の収容箱片と他方の収容箱片とがその長手方向に互いに接近又は離間可能に連結されている。そして、この収容箱は、メダルを収容する略直方体の凹部を設けている。
【００１６】
一方の収容箱片は、互いに相反する向きに突出して略平行な一対のフランジを凹部の開口端縁に有している。他方の収容箱片は、互いに相反する向きに突出して一対のフランジを囲うように反転する略平行な一対の溝を凹部の開口端縁に有している。一対のフランジが一対の溝にスライド可能に連結して凹部の容積を変えることができる。
【００１７】
ここで、一方の収容箱片は、一方の片翼が開放されてよく、他方の片翼が閉じられてよく、他方の片翼に後述する取っ手を備えることが好ましい。同様に、他方の収容箱片は、一方の片翼が開放されてよく、他方の片翼が閉じられてよく、他方の片翼に後述する取っ手を備えることが好ましい。一方の収容箱片の開放端と他方の収容箱片との開放端が互いに連通して、上方に開口しているが閉じられた凹部が形成される。実体として、凹部は所要の容積を有するといってもよい。
【００１８】
一方の収容箱片と他方の収容箱片とは、互いに重なる部位を有してよく、凹部の容積が増加すると重なり代が小さくなる。一方、凹部の容積が減少すると重なり代が大きくなる。一対のフランジ及び一対の溝（実体としてフランジ）は、曲げモーメントに抗する補強リブとしても機能し、想定される最大容量のメダル総重量に対して適宜な強度が保証できるように、その形状が決定される。
【００１９】
一方の収容箱片と他方の収容箱片とを互いに離間する方向に移動すると、凹部の容積が増加する。一方の収容箱片と他方の収容箱片とを互いに接近する方向に移動すると、凹部の容積が減少する。（２）の発明による収容箱は、メダル受け皿から収容箱への移し替えるメダル数によって、収容箱の容量を加減できる。（２）の発明による収容箱は、容量を加減することが容易であるという効果がある。
【００２０】
（３）  長手方向の両翼に一対の取っ手を備えることを特徴とする（２）記載のメダルを収容する収容箱。
【００２１】
（３）の発明による収容箱は、一対の取っ手を把持して容易に移動できる。
【００２２】
（４）  前記一方の収容箱片は、長手方向に沿って設けられる複数の貫通穴を一対の側壁に有し、前記他方の収容箱片は、互いに相反する向きに配置されて前記貫通穴に嵌合する一対の半球状の突起を一対の側壁に有し、前記凹部の容積を段階的に変えることを特徴とする（２）又は（３）記載のメダルを収容する収容箱。
【００２３】
（４）の発明による収容箱は、他方の収容箱片が長手方向に沿って設けられる複数の貫通穴を一対の側壁に有してよく、一方の収容箱片が互いに相反する向きに配置されて貫通穴に嵌合する一対の半球状の突起を一対の側壁に有してもよい。
【００２４】
半球状の突起が貫通穴を乗り上げる強い力で、一方の収容箱片と他方の収容箱片とを接近又は離間すると、半球状の突起は隣接する貫通穴に陥没して嵌合する。このように、（４）の発明による収容箱は、凹部の容積を段階的に変えることができるので便利である。
【００２５】
（５）  両翼が開放された中間箱状部材、及びこの中間箱状部材の両翼に連結して互いに接近又は離間可能な一対の片側箱状部材を備え、メダルを収容する略直方体の凹部を設ける収容箱であって、前記片側箱状部材は、互いに相反する向きに突出して略平行な一対のフランジを前記凹部の開口端縁に有し、前記中間箱状部材は、互いに相反する向きに突出して前記一対のフランジを囲うように反転する略平行な一対の溝を前記凹部の開口端縁に有し、前記一対のフランジが前記一対の溝にスライド可能に連結して前記凹部の容積を変えることを特徴とするメダルを収容する収容箱。
【００２６】
ここで、メダルを収容する収容箱は、両端が自由支持されメダルによる等分布荷重が作用する梁と考えることができ、最大たわみは断面２次モーメントに依存する。（４）の発明による収容箱は、中央部の両翼に箱状部材の重なり代を有することから、想定される最大容量のメダル総重量に対して強度が保証できる。又、一対の片側箱状部材が左右対称に配置されるので、見栄えも良いと考えられる。
【発明の効果】
【００２７】
本発明による遊技機は、箱形に形成されてその長手方向に伸縮自在に容積を変える収容箱を備えているので、メダル受け皿から収容箱へのメダルの移し替える手間を減じることができる。その結果、遊技者が遊技に集中することができて、遊技性を高めることもできる。又、本発明による収容箱は、容量を加減することが容易であるという効果がある。
【発明を実施するための最良の形態】
【００２８】
以下、図面を参照して本発明を実施するための最良の形態を説明する。
【００２９】
図１は、本発明による遊技機の一実施形態を示す正面図である。図２は、前記実施形態による遊技機の筐体の内部構造を示す斜視外観図であり、前面扉を開けた状態図である。図３は、本発明による収容箱の第１実施形態を示す斜視外観図である。図４は、前記第１実施形態による収容箱の正面図である。図５は、前記第１実施形態による収容箱の縦断面図であり、図４のＸ−Ｘ矢視図である。図６は、本発明による収容箱の第２実施形態を示す斜視外観図である。
【００３０】
最初に、本発明による遊技機の構成を説明する。図１及び図２において、遊技機１０は、いわゆる「スロットマシン」又は「パチスロ機」である。遊技機１０は、コイン、メダル、又はトークンと呼ばれる有価価値である遊技媒体を用いて遊技する。以下では、遊技媒体はメダルを用いるものとして説明する。
【００３１】
図１及び図２において、本体１２は、遊技機１０の外周を覆っている。遊技機１０は、筐体１１と、筐体１１を開閉する前面扉１３と、を備えている。筐体１１の内部にリールユニット５０が配置されている。筐体１１の内部は、棚４３で上下に仕切られており、棚４３にリールユニット５０が載置されている。
【００３２】
図２において、棚４３の下方には、投入されたメダルを収納、又はメダルをメダル受け皿４０に払い出すホッパー４５や、還元率設定スイッチ４６ａを含む電源ボックス４６が配置されている。棚４３の上方には、遊技機１０を制御するメイン基板（プリント基板）及びサブ基板（プリント基板）を含む制御盤４７などが配置されている。
【００３３】
図１又は図２において、前面扉１３に形成される正面パネル２２には、矩形状の表示窓１４が設けられている。表示窓１４は、個別の表示窓１４Ｌ・１４Ｃ・１４Ｒに区画されている。リールユニット５０には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓１４を介して観察可能に配置されている。
【００３４】
図１において、表示窓１４の下方右側には、略水平の台座部２８が設けられており、その上面右側には、遊技者がメダルを入れるための投入口２５が設けられている。台座部２８の上面左側には、押しボタン操作による三つのＢＥＴスイッチ２９・３０・３１が配置されている。ＢＥＴスイッチ２９は、１回の遊技に１枚のメダルを賭けられる。ＢＥＴスイッチ３０は、１回の遊技に２枚のメダルを賭けられる。ＢＥＴスイッチ３１は、１回の遊技に３枚のメダルを賭けられる。
【００３５】
図１において、台座部２８の前面の左側には、スタートレバー３２が傾動可能に設けられている。スタートレバー３２を遊技者が傾動操作することにより、三つのリール２６Ｌ・２６Ｃ・２６Ｒの回転が一斉に開始される。３つのリール２６Ｌ・２６Ｃ・２６Ｒが回転したときには、リール２６Ｌ・２６Ｃ・２６Ｒの各々の外周面に描かれている複数の図柄が、表示窓１４において変動表示される。
【００３６】
図１において、台座部２８の前面の中央には、３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００３７】
図１において、表示窓１４には、横に３本（中央及び上下）及び斜めに２本の入賞ラインが設けられている。ゲーム開始に先立って、遊技者が投入口２５から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００３８】
図１において、スタートレバー３２の左側には、払出しボタン３６が設けられている。遊技者が払出しボタン３６を押動操作したときには、投入されているメダルが正面下部のメダル払出口３８から払い出される。メダル払出口３８は、本体１２の略中央に配置されている。払い出されたメダルは、メダル受け皿４０に貯えられる。
【００３９】
図１において、メダル受け皿４０は、本体１２の下部前面に設けられている。又、メダル受け皿４０は、メダルが払い出されるメダル払出口３８からメダルを受け入れて貯えることができる。収容箱６は、メダル受け皿４０からメダルが移し替えられる。そして、収容箱６は、箱形に形成されてその長手方向に伸縮自在に容積を変えことができる。
【００４０】
次に、本発明の第１実施形態による収容箱６の構成を説明する。図３において、収容箱６は、略合同な収容箱片６１と収容箱片６２とがその長手方向に互いに接近又は離間可能に連結されている。そして、収容箱６は、メダルを収容する略直方体の凹部６０を設けている。又、収容箱６は、長手方向の両翼に一対の取っ手６ａ・６ｂを備えている。
【００４１】
図３から図５において、収容箱片６１は、互いに相反する向きに突出して略平行な一対のフランジ６ｃ・６ｄを凹部６０の開口端縁に有している。収容箱片６２は、互いに相反する向きに突出し、一対のフランジ６ｃ・６ｄを囲うように反転する略平行な一対の溝６ｅ・６ｆを凹部６０の開口端縁に有している。そして、一対のフランジ６ｃ・６ｄが一対の溝６ｅ・６ｆにスライド可能に連結しており、収容箱片６１は、凹部６０の容積を変えることができる。
【００４２】
図３から図５において、収容箱片６１は、長手方向に沿って設けられる複数の貫通穴６ｇを一対の側壁６１１・６１２に有している。収容箱片６２は、互いに相反する向きに配置されて、一対の貫通穴６ｇ・６ｇに嵌合する一対の半球状の突起６ｈ・６ｈを一対の側壁６２１・６２２に有している。そして、収容箱６は、凹部６０の容積を段階的に変えることができる。
【００４３】
次に、本発明の第１実施形態による収容箱６の作用を説明する。図３から図５において、収容箱片６１は、一方の片翼が開放されており、他方の片翼が閉じられている。又、他方の片翼に取っ手６ａを備えている。同様に、収容箱片６２は、一方の片翼が開放されており、他方の片翼が閉じられている。又、他方の片翼に取っ手６ｂを備えている。そして、収容箱片６１の開放端と収容箱片６２との開放端が互いに連通して、上方に開口しているが閉じられた凹部６０が形成されている。図３から図５において、凹部６０は、メダルを収容する所要の容積を有している。
【００４４】
図３から図５において、収容箱片６１と収容箱片６２とは、一対の側壁６１１・６１２の内面が一対の側壁６２１・６２２の外面に当接するように、互いに重なる部位を有している。一対の取っ手６ａ・６ｂを互いに引き合い、凹部６０の容積が増加すると重なり代が小さくなる。一方、一対の取っ手６ａ・６ｂを互いに押し合い、凹部６０の容積が減少すると重なり代が大きくなる。
【００４５】
図３から図５において、一対のフランジ６ｃ・６ｄ及び一対の溝６ｅ・６ｆ（実体としてフランジ）は、曲げモーメントに抗する補強リブとしても機能している。そして、想定される最大容量のメダル総重量に対して適宜な強度が保証できるように、一対の収容箱片６１・６２の形状が決定されている。
【００４６】
図３から図５において、収容箱片６１と収容箱片６２とを互いに離間する方向に移動すると、凹部６０の容積を増加できる。収容箱片６１と収容箱片６２とを互いに接近する方向に移動すると、凹部６０の容積を減少できる。
【００４７】
図３から図５において、一対の突起６ｈ・６ｈが一対の貫通穴６ｇ・６ｇを乗り上げる強い力で、収容箱片６１と収容箱片とを接近又は離間すると、一対の側壁６１１・６１２及び一対の側壁６２１・６２２は、互いに離反する方向に弾性変形する。一対の突起６ｈ・６ｈが隣接する一対の貫通穴６ｇ・６ｇに位置合わせされると、一対の側壁６１１・６１２及び一対の側壁６２１・６２２は弾性復帰して、一対の突起６ｈ・６ｈが隣接する一対の貫通穴６ｇ・６ｇに陥没して嵌合する。
【００４８】
本発明による収容箱は、メダル受け皿から収容箱への移し替えるメダル数によって、収容箱の容量を加減できる。本発明による収容箱は、容量を加減することが容易であるというメリットがある。又、本発明による収容箱は、凹部の容積を段階的に変えることができるので便利である。
【００４９】
次に、本発明の第２実施形態による収容箱７の構成を説明する。図６において、収容箱７は、両翼が開放された中間箱状部材７３、及び中間箱状部材７３の両翼に連結して互いに接近又は離間可能な一対の片側箱状部材７１・７２を備えている。そして、収容箱７は、メダルを収容する略直方体の凹部７０を設けている。又、収容箱７は、長手方向の両翼に一対の取っ手７ａ・７ｂを備えている。
【００５０】
図６において、一対の片側箱状部材７１・７２は、互いに相反する向きに突出して略平行な一対のフランジ７ｃ・７ｄを凹部７０の開口端縁に有している。中間箱状部材７３は、互いに相反する向きに突出して、一対のフランジ７ｃ・７ｄを囲うように反転する略平行な一対の溝７ｅ・７ｆを凹部７０の開口端縁に有している。そして、収容箱７は、一対のフランジ７ｃ・７ｄが一対の溝７ｅ・７ｆにスライド可能に連結して、凹部７０の容積を変えることができる。
【００５１】
図６において、一対の片側箱状部材７１・７２は、長手方向に沿って設けられる複数の貫通穴７ｇを一対の側壁７１１・７１２、７２１・７２２に有している。中間箱状部材７３は、互いに相反する向きに配置されて、一対の貫通穴７ｇ・７ｇに嵌合する一対の半球状の突起７ｈ・７ｈを一対の側壁７３１・７３２に有している。そして、収容箱７は、凹部７０の容積を段階的に変えることができる。なお、図６において、他方の貫通穴７ｇ及び突起７ｈは、側壁７３２に遮られて図示されていない。
【００５２】
次に、本発明の第２実施形態による収容箱７の作用を説明する。図６において、片側箱状部材７１は、一方の片翼が開放されており、他方の片翼が閉じられている。又、他方の片翼に取っ手７ａを備えている。同様に、片側箱状部材７２は、一方の片翼が開放されており、他方の片翼が閉じられている。又、他方の片翼に取っ手７ｂを備えている。中間箱状部材７３は、両翼が開放されている。そして、一対の片側箱状部材７１・７２の開放端と中間箱状部材７３との開放端が互いに連通して、上方に開口しているが閉じられた凹部７０が形成されている。図６において、凹部７０は、メダルを収容する所要の容積を有している。
【００５３】
図６において、片側箱状部材７１と中間箱状部材７３とは、一対の側壁７１１・７１２の内面が一対の側壁７３１・７３２の外面に当接するように、互いに重なる部位を有している。同様に、片側箱状部材７２と中間箱状部材７３とは、一対の側壁７２１・７２２の内面が一対の側壁７３１・７３２の外面に当接するように、互いに重なる部位を有している。一対の取っ手７ａ・７ｂを互いに引き合い、凹部７０の容積が増加すると重なり代が小さくなる。一方、一対の取っ手７ａ・７ｂを互いに押し合い、凹部７０の容積が減少すると重なり代が大きくなる。
【００５４】
図６において、一対のフランジ７ｃ・７ｄ及び一対の溝７ｅ・７ｆ（実体としてフランジ）は、曲げモーメントに抗する補強リブとしても機能している。そして、想定される最大容量のメダル総重量に対して適宜な強度が保証できるように、片側箱状部材７１・７２及び中間箱状部材７３の形状が決定されている。
【００５５】
図６において、片側箱状部材７１と片側箱状部材７２とを互いに離間する方向に移動すると、凹部７０の容積を増加できる。片側箱状部材７１と片側箱状部材７２とを互いに接近する方向に移動すると、凹部７０の容積を減少できる。
【００５６】
図６において、一対の突起７ｈ・７ｈが一対の貫通穴７ｇ・７ｇを乗り上げる強い力で、中間箱状部材７３に対して一対の片側箱状部材７１・７２を接近又は離間すると、一対の側壁７３１・７３２と一対の側壁７１１・７１２及び７２１・７２２とは、互いに離反する方向に弾性変形する。一対の突起７ｈ・７ｈが隣接する一対の貫通穴７ｇ・７ｇに位置合わせされると、一対の側壁７３１・７３２と一対の側壁７１１・７１２及び７２１・７２２とは弾性復帰して、一対の突起７ｈ・７ｈが隣接する一対の貫通穴７ｇ・７ｇに陥没して嵌合する。
【００５７】
第２実施形態による収容箱は、中央部の両翼に箱状部材の重なり代を有することから、想定される最大容量のメダル総重量に対して強度が保証できる。又、第２実施形態による収容箱は、一対の片側箱状部材が左右対称に配置されているので、見栄えも良いと考えられる。
【００５８】
本発明による遊技機は、箱形に形成されてその長手方向に伸縮自在に容積を変える収容箱を備えているので、メダル受け皿から収容箱へのメダルの移し替える手間を減じることができる。その結果、遊技者が遊技に集中することができて、遊技性を高めることもできる。本発明による収容箱は、メダルを収容するための容積を変えてよく、第１実施形態で示されたように、収容箱を２部材（２パーツ）で構成してよく、第２実施形態で示されたように、収容箱を３部材（３パーツ）で構成してもよい。
【図面の簡単な説明】
【００５９】
【図１】本発明による遊技機の一実施形態を示す正面図である。
【図２】前記実施形態による遊技機の筐体の内部構造を示す斜視外観図であり、前面扉を開けた状態図である。
【図３】本発明による収容箱の第１実施形態を示す斜視外観図である。
【図４】前記第１実施形態による収容箱の正面図である。
【図５】前記第１実施形態による収容箱の縦断面図であり、図４のＸ−Ｘ矢視図である。
【図６】本発明による収容箱の第２実施形態を示す斜視外観図である。
【符号の説明】
【００６０】
６・７  収容箱
１０  遊技機
１２  本体
３８  メダル払出口
４０  メダル受け皿
【図１】
2008295525.tif 000003
【図２】
2008295525.tif 000004
【図３】
2008295525.tif 000005
【図４】
2008295525.tif 000006
【図５】
2008295525.tif 000007
【図６】
2008295525.tif 000008